(57)【要約】【課題】罫線作成の操作が様な画像処理方法、プログラム、及び画像処理装置を提供する。【解決手段】罫線作成モード時に表示部のカーソルを縦方向に移動させるとカーソルの軌跡に沿って各セル内に縦罫線を形成し、表示部のカーソルを横方向に移動させるとカーソルの軌跡に沿って各セル内に横罫線を形成し、決定キーが押し下げられるとセル内の罫線を決定し、削除キーが押し下げられるとセル内の罫線を削除する。【選択図】図１
2010272047.tif 000002
【特許請求の範囲】
【請求項１】
罫線作成モード時に表示部のカーソルを縦方向に移動させると前記カーソルの軌跡に沿って各セル内に縦罫線を形成し、前記表示部のカーソルを横方向に移動させると前記カーソルの軌跡に沿って各セル内に横罫線を形成し、前記決定キーが押し下げられると前記セル内の罫線を決定し、前記削除キーが押し下げられると前記セル内の罫線を削除することを特徴とする画像処理方法。
【請求項２】
前記いずれかの罫線の表示中に前記ダイヤルキーが押し下げられると、前記セル内もしくは近傍に数字もしくは文字を入力することを特徴とする請求項１記載の画像処理方法。
【請求項３】
前記いずれかの罫線は、前記セル内の中央の軌跡もしくは縁上に形成されることを特徴とする請求項２記載の画像処理方法。
【請求項４】
前記いずれかのカーソルの軌跡が形成される毎に決定もしくは削除を行うことを特徴とする請求項３記載の画像処理方法。
【請求項５】
前記いずれかのカーソルが複数回表示された後で決定もしくは削除を行うことを特徴とする請求項３記載の画像処理方法。
【請求項６】
罫線作成モード時に表示部のカーソルを縦方向に移動させると前記カーソルの軌跡に沿って各セル内に縦罫線を形成し、前記表示部のカーソルを横方向に移動させると前記カーソルの軌跡に沿って各セル内に横罫線を形成し、前記決定キーが押し下げられると前記セル内の罫線を決定し、前記削除キーが押し下げられると前記セル内の罫線を削除する画像処理方法であって、
前記いずれかのカーソルの軌跡が形成される毎に決定もしくは削除を行うか、または前記いずれかのカーソルが複数回表示された後で決定もしくは削除を行うことが特定のキー操作で切替可能なことを特徴とする画像処理方法。
【請求項７】
罫線を形成するために、コンピュータを、
罫線作成モード時に表示部のカーソルを縦方向に移動させると軌跡に沿って各セル内に縦罫線を形成する手段、
前記表示部のカーソルを横方向に移動させると軌跡に沿って各セル内に横罫線を形成する手段、
前記決定キーが押し下げられると前記セル内の罫線を決定する手段、
前記削除キーが押し下げられると前記セル内の罫線を削除する手段、
として機能させるためのプログラム。
【請求項８】
罫線を形成するために、コンピュータを、
罫線作成モード時に表示部のカーソルを縦方向に移動させると前記カーソルの軌跡に沿って各セル内に縦罫線を形成する手段、
前記表示部のカーソルを横方向に移動させると前記カーソルの軌跡に沿って各セル内に横罫線を形成する手段、
前記決定キーが押し下げられると前記セル内の罫線を決定する手段、
前記削除キーが押し下げられると前記セル内の罫線を削除する手段、
前記いずれかのカーソルの軌跡が形成される毎に決定もしくは削除を行うか、または前記いずれかのカーソルが複数回表示された後で決定もしくは削除を行うことを特定のキー操作で切替る手段、
として機能させるためのプログラム。
【請求項９】
表示部と、
カーソル移動キー、決定キー、削除キー、及びダイヤルキーを有する入力部と、
罫線作成モード時に前記カーソル移動キーを押し下げて前記表示部のカーソルを縦方向に移動させると前記カーソルの軌跡に沿って各セル内に縦罫線を形成し、前記カーソル移動キーを押し下げて前記表示部のカーソルを横方向に移動させると前記カーソルの軌跡に沿って各セル内に横罫線を形成し、前記決定キーが押し下げられると前記セル内の罫線を決定し、前記削除キーが押し下げられると前記セル内の罫線を削除するように制御する制御手段と、を備えたことを特徴とする画像処理装置。
【発明の詳細な説明】
【技術分野】
【０００１】
本発明は、画像処理方法、プログラム、及び画像処理装置に関する。
【背景技術】
【０００２】
一般に、表計算ソフトで罫線を作成する場合、罫線を作成するモードに設定してから、罫線カーソルにて始点および終点を選択することにより罫線を作成している。
罫線を作成する技術が特許文献１〜６に開示されている。
特許文献１に記載の発明は、表データ管理装置に関するものである。この表データ管理装置は、表外枠の矩形属性データと、全ての罫線属性データと、表外枠と罫線の組み合わせによって形成されたセル属性データとを備え、セル属性データは位置の情報を保持せず、隣接する罫線属性データの識別子を保持する。
【０００３】
特許文献１に記載の発明によれば、罫線移動時にセルの位置を意識する必要がなく、他の属性データへの影響も少ないことから、操作時間の短縮ができるとしている。
【０００４】
特許文献２に記載の発明は、表示装置に関するものである。この表示装置は、表示画面上にカーソルを表示し、カーソルキーによりカーソル表示位置を移動するようにした表示装置であり、第１のキーと、複数の第２のキーと、ケイ線を表示するための信号を発生し、ケイ線を消去する信号を発生する手段とを有する。
第１のキーは、それぞれ、所定の方向にケイ線を表示すべきことを指示する。
第２のキーは、それぞれ所定の方向に表示されたケイ線を消去すべきことを指示する。
ケイ線を表示するための信号を発生し、ケイ線を消去する信号を発生する手段は、第１のキーの一つの入力に応答して、指定された方向により定まる端位置までケイ線を表示するための信号を発生し、第２のキーの一つによる入力に応答して、表示されているケイ線を消去する信号を発生する。
【０００５】
特許文献２に記載の発明によれば、ワードプロセッサのような文書作成装置において不可欠な枠組みの表を作る作表機能を能率良く実現でき、操作性が向上するとしている。
【０００６】
特許文献３に記載の発明は、文字処理装置に関する発明である。この文字処理装置は、文字列を表示する表示手段と、入力された文字列を編集し、表示手段に表示させる制御手段とを有する。表示手段は、文書にふくまれる文字を表示手段に表示させるとともに、文書のレイアウトを表示領域に縮小表示させるものである。
【０００７】
特許文献３に記載の発明によれば、登録済み文書を誤って削除したり、他の文書に書き換えたりするような操作ミスの機会が減少するとしている。
【０００８】
特許文献４に記載の発明は、文書作成装置に関するものである。この文書作成装置は、入力部と、カーソル制御部と、文字コードバッファと、表示部と、罫線コード生成部とを有する。
入力部は、文字および罫線を入力し、カーソル制御部は、入力部のキー操作によって現在の座標位置を制御し、文字コードバッファは、入力部より入力された文字および罫線を格納する。表示部は、文字コードバッファの内容を表示し、罫線コード生成部は、文字コードバッファに最適な罫線コードを生成する。この文書作成装置は、文字コードバッファ内に格納された罫線コードの内容に相関して、文字コードバッファに最適な罫線コードを生成するものである。
【０００９】
特許文献４に記載の発明によれば、罫線の交点や分岐点に応じて最適な罫線コードを極めて容易に生成することができるとしている。
【００１０】
特許文献５に記載の発明は、罫線入力装置に関するものである。この罫線入力装置は、リピート入力機能により連続した罫線を作成するとき、罫線ａの始点と終点を記憶しておき、罫線ａに並行な罫線ｂを同様の機能で作成する文書処理装置の一種である。この罫線入力装置は、罫線ｂがリピート入力状態であっても、罫線ａの作成により記憶した始点または終点座標に達したとき、始点または終点座標を越えて罫線が作成されないよう入力をブロックするブロック手段を有するものである。
【００１１】
特許文献５に記載の発明によれば、罫線入力が意に反して終了させたい先の罫線画素まで入力すると、引き過ぎた罫線を後に削除するという操作をすることなく、最初に外枠を作成することで、表中の罫線も外枠からはみださないとしている。
【００１２】
特許文献６に記載の発明は、文書作成装置に関するものである。この文書作成装置は、文書情報や図形等の各種情報を表示出力する表示手段の表示画面中にカーソルを表示出力し、文書作成や編集校正等を行なう文書作成装置の一種である。この文書作成装置は、カーソルを表示画面中の所定方向に移動指示する手段と、この手段にて指示された移動方向が表示手段の表示画面中にて視認できるよう制御する手段とを具備したものである。
【００１３】
特許文献６に記載の発明によれば、カーソルの移動方向が表示画面中にて容易に視認でき、特定の編集等に於ける編集作業の移動方向、反転表示桁をカーソルが渡って行くような編集作業の移動方向等が容易に視認できるとしている。
【先行技術文献】
【特許文献】
【００１４】
【特許文献１】特開２０００−０４８０８９号公報
【特許文献２】特開昭５７−１８５５３０号公報
【特許文献３】特開昭６１−１７５６８１号公報
【特許文献４】特開昭６１−１８６９９４号公報
【特許文献５】特開平０７−１６０６７８号公報
【特許文献６】特開平０８−１９４５９８号公報
【発明の概要】
【発明が解決しようとする課題】
【００１５】
しかしながら、特許文献１に記載の発明は、罫線枠の中のセルを一つずつ作成するため罫線枠の操作が煩雑である。
特許文献２に記載の発明は、１本の罫線を描くために始点と終点を決定するため操作が煩雑となっている。
特許文献３に記載の発明は、罫線セグメントを組み合わせて罫線枠を構成するため、操作が煩雑となっている。
特許文献４に記載の発明は、カーソルを移動させるとそのまま罫線が作成されてしまうため、不要な線が作成されるので、操作が煩雑となっている。
特許文献５に記載の発明は、１本の罫線を描くために始点と終点を決定するため操作が煩雑となっている。
特許文献６に記載の発明は、１本の罫線を描くために始点と終点を決定するため操作が煩雑となっている。
【００１６】
そこで、本発明の目的は、罫線作成の操作が様な画像処理方法、プログラム、及び画像処理装置を提供することにある。
【課題を解決するための手段】
【００１７】
本発明の第１の方法は、罫線作成モード時に表示部のカーソルを縦方向に移動させると前記カーソルの軌跡に沿って各セル内に縦罫線を形成し、前記表示部のカーソルを横方向に移動させると前記カーソルの軌跡に沿って各セル内に横罫線を形成し、前記決定キーが押し下げられると前記セル内の罫線を決定し、前記削除キーが押し下げられると前記セル内の罫線を削除することを特徴とする。
【００１８】
本発明の第２の方法は、罫線作成モード時に表示部のカーソルを縦方向に移動させると前記カーソルの軌跡に沿って各セル内に縦罫線を形成し、前記表示部のカーソルを横方向に移動させると前記カーソルの軌跡に沿って各セル内に横罫線を形成し、前記決定キーが押し下げられると前記セル内の罫線を決定し、前記削除キーが押し下げられると前記セル内の罫線を削除する画像処理方法であって、前記いずれかのカーソルの軌跡が形成される毎に決定もしくは削除を行うか、または前記いずれかのカーソルが複数回表示された後で決定もしくは削除を行うことが特定のキー操作で切替可能なことを特徴とする。
【００１９】
本発明の第１のプログラムは、罫線を形成するために、コンピュータを、罫線作成モード時に表示部のカーソルを縦方向に移動させると軌跡に沿って各セル内に縦罫線を形成する手段、前記表示部のカーソルを横方向に移動させると軌跡に沿って各セル内に横罫線を形成する手段、前記決定キーが押し下げられると前記セル内の罫線を決定する手段、前記削除キーが押し下げられると前記セル内の罫線を削除する手段、として機能させるためのプログラムであることを特徴とする。
【００２０】
本発明の第２のプログラムは、罫線を形成するために、コンピュータを、罫線作成モード時に表示部のカーソルを縦方向に移動させると前記カーソルの軌跡に沿って各セル内に縦罫線を形成する手段、前記表示部のカーソルを横方向に移動させると前記カーソルの軌跡に沿って各セル内に横罫線を形成する手段、前記決定キーが押し下げられると前記セル内の罫線を決定する手段、前記削除キーが押し下げられると前記セル内の罫線を削除する手段、前記いずれかのカーソルの軌跡が形成される毎に決定もしくは削除を行うか、または前記いずれかのカーソルが複数回表示された後で決定もしくは削除を行うことを特定のキー操作で切替る手段、として機能させるためのプログラムであることを特徴とする。
【００２１】
本発明の第１の装置は、表示部と、カーソル移動キー、決定キー、削除キー、及びダイヤルキーを有する入力部と、罫線作成モード時に前記カーソル移動キーを押し下げて前記表示部のカーソルを縦方向に移動させると前記カーソルの軌跡に沿って各セル内に縦罫線を形成し、前記カーソル移動キーを押し下げて前記表示部のカーソルを横方向に移動させると前記カーソルの軌跡に沿って各セル内に横罫線を形成し、前記決定キーが押し下げられると前記セル内の罫線を決定し、前記削除キーが押し下げられると前記セル内の罫線を削除するように制御する制御手段と、を備えたことを特徴とする。
【発明の効果】
【００２２】
本発明によれば、罫線作成の操作が様な画像処理方法、プログラム、及び画像処理装置の提供を実現することができる。
【図面の簡単な説明】
【００２３】
【図１】本発明に係る画像処理装置の一実施の形態を示すブロック図である。  本実施の形態では、画像処理装置が携帯電話機の場合で説明する。
【図２】本発明に係る画像処理方法を適用したフローチャートの一例である。
【図３】図２に示したフローチャートに基づいた表示部の様子を示す説明図の一例である。
【図４】本発明に係る画像処理方法を適用したフローチャートの他の一例である。
【図５】図４に示したフローチャートに基づいた表示部の様子を示す説明図の一例である。
【図６】図２もしくは図４に示したフローチャートに基づいた表示部の様子を示す説明図の他の一例である。
【発明を実施するための形態】
【００２４】
＜本発明の特徴＞
本発明は、罫線作成モードにおいて、カーソルを上下左右に移動させる際に生じる軌跡を決定キーで確定し、もしくは削除キーで削除することにより、グラフィック感覚で罫線を作成することを特徴とする。
また、本発明は、縦線を作成する場合のカーソルと横線を作成する場合のカーソルとが異なることを特徴とする。
＜第１の実施の形態＞
［構  成］
図１は、本発明に係る画像処理装置の一実施の形態を示すブロック図である。
本実施の形態では、画像処理装置が携帯電話機の場合で説明する。尚、無線回路部、ベースバンド信号処理部、メモリ、カメラ、マイクロフォン、スピーカなどは省略する。
図１において、制御部１００に、入力部１１０、及び表示部１２０がバスラインを介して接続されている。
制御部１００は携帯電話機を統括制御するものであり、例えばマイクロプロセッサが用いられる。具体的には、制御部１００は、罫線作成モード時に表示部１２０のカーソルを移動させるとカーソルの軌跡に沿って各セル内に縦罫線を形成し、決定キーが押し下げられるとセル内の罫線を決定し、削除キーが押し下げられるとセル内の罫線を削除するように制御する。
【００２５】
１１０は携帯電話機を操作するための入力部であり、カーソル移動キー１１１、削除キー１１２、決定キー１１３、及びダイヤルキー１１４を有する。
カーソル移動キー１１１は、上方向キー１１１Ｕ、下方向キー１１１Ｄ、左方向キー１１１Ｌ、右方向キー１１１Ｒを有する。上方向キー１１１Ｕ、下方向キー１１１Ｄ、左方向キー１１１Ｌ、右方向キー１１１Ｒのうちの何れか一つのみ押し下げることができるようになっており、押し下げられたキーの方向に表示部１２０上のカーソルが移動すると共にカーソルの移動に沿った軌跡が表示される。
表示部１２０は、携帯電話機としての通常の表示（例えば、壁紙、電話番号、アドレス、メール等）の他、罫線、罫線枠、文字、数字、絵文字等を表示するものであり、例えば液晶表示素子が用いられる。
表示部１２０は、図では罫線作成モードとなっており、複数（図では４２個であるが限定されない。）のセルで構成されている。
【００２６】
削除キー１１２は、表示部１２０に表示された罫線の軌跡を削除するためのキーである。
決定キー１１３は、表示部１２０に表示された罫線の軌跡を罫線（もしくは罫線枠）として決定するためのキーである。
ダイヤルキー１１４は、０キー〜９キー、＊キー、＃キーが示されているが限定されるものではなく、０キー〜９キーがアルファベット、ひらがな、読点、及び句点を兼用したり、＊キーが小文字、濁点、撥音文字を兼用したり、＃キーがリターンキーを兼用したりしてもよい。
【００２７】
［動  作］
図２は、本発明に係る画像処理方法を適用したフローチャートの一例である。
図２に示したフローチャートは、図１に示した画像処理装置としての携帯電話機を操作して罫線作成モードに設定された状態のものとする。
図３は、図２に示したフローチャートに基づいた表示部の様子を示す説明図の一例である。
制御部１００（図１参照）は、罫線作成モードが開始されると、表示部１２０のホームポジション（例えば、Ａ１セル内の右縁もしくは下縁）にカーソル（横カーソルもしくは縦カーソル）を表示させると共に、カーソル移動キー１１１が押し下げられたか否かを判断する（ステップＳ１０１）。
【００２８】
制御部１００は、カーソル移動キー１１１が押し下げられたと判断すると（ステップＳ１０１／Ｙｅｓ）、押し下げられたカーソル移動キー１１１が右方向キー１１１Ｒであるか否かを判断する（ステップＳ１０２）。
制御部１００は、右方向キー１１１Ｒが押し下げられたと判断すると（ステップＳ１０２／Ｙｅｓ）、表示部１２０に表示されたカーソル（横向きカーソル：「−」）を１セル分だけ例えばＢ１セルまで右方向に移動し（ステップＳ１０３）、カーソルの軌跡を表示する。以下、軌跡は決定されるまで点滅するかもしくはカーソルと異なる色であってもよい（ステップＳ１０９）。
【００２９】
制御部１００は、右方向キー１１１Ｒが押し下げられていないと判断すると（ステップＳ１０２／Ｎｏ）、左方向キー１１１Ｌが押し下げられたか否かを判断する（ステップＳ１０４）。
制御部１００は、左方向キー１１１Ｌが押し下げられたと判断すると（ステップＳ１０４／Ｙｅｓ）、表示部１２０に表示されたカーソル（横向きカーソル「−」）を１セル分だけ左方向に移動し（ステップＳ１０５：但し、図３に示す場合、カーソルは左には移動できないので、例えば「これ以上左へは進めません」と表示するか、または右端に表示されるように構成してもよい。）、カーソルの軌跡を表示する（ステップＳ１０９）。
【００３０】
制御部１００は、左方向キー１１１Ｌが押し下げられていないと判断すると（ステップＳ１０４／Ｎｏ）、上方向キー１１１Ｕが押し下げられたか否かを判断する（ステップＳ１０６）。
制御部１００は、上方向キー１１１Ｕが押し下げられたと判断すると（ステップＳ１０６／Ｙｅｓ）、表示部１２０に表示されたカーソル（縦向きカーソル：「｜」）を１セル分だけ上方向に移動し（ステップＳ１０７）、カーソルの軌跡を表示する（ステップＳ１０９：但し、図３に示す場合、カーソルは上へは進めないので、例えば「これ以上上へは進めません」と表示するか、または下端に表示されるように構成してもよい。）。
【００３１】
制御部１００は、上方向キー１１１Ｕが押し下げられていないと判断すると（ステップＳ１０６／Ｎｏ）、下方向キー１１１Ｄが押し下げられたものと判断し、表示部１２０に表示されたカーソル（縦向きカーソル：「｜」）をホームポジションであるＡ１セルから下方向に１セル分だけ（Ａ２セル）まで移動し（ステップＳ１０８）、カーソル（縦向きカーソル「｜」が表示される。）の軌跡を表示する（ステップＳ１０９）。
【００３２】
制御部１００は、表示部１２０内にカーソルの軌跡が表示されると、決定キー１１３（図１参照）が押し下げられたか否かを判断する（ステップＳ１１０）。
制御部１００は、決定キー１１３が押し下げられたと判断すると（ステップＳ１１０／Ｙｅｓ）、表示部１２０の軌跡が罫線として表示される（ステップＳ１１１）。
制御部１００は、決定キー１１３が押し下げられていないと判断すると（ステップＳ１１０／Ｎｏ）、削除キー１１２（図１参照。）が押し下げられたか否かを判断する（ステップＳ１１２）。
制御部１００は、削除キー１１２が押し下げられたと判断すると（ステップＳ１１２／Ｙｅｓ）、表示部１２０の軌跡を１セル分だけ削除する（ステップＳ１１３））。
制御部１００は、削除キー１１２が押し下げられていないと判断すると（ステップＳ１１２／Ｎｏ）、ステップＳ１１０に戻る。
【００３３】
ここで、セルに数字（文字）を入力するときはダイヤルキー１１４のうちの数字キーにより入力することができる。
制御部１００は、カーソル移動キー１１１の押し下げがないか（ステップＳ１０１／Ｎｏ）、罫線が表示されたか（ステップＳ１１１）、軌跡が削除されると（ステップＳ１１３）、罫線作成モードが終了か否かを判断する（ステップＳ１１４）。
制御部１００は、罫線作成モードが終了でないと判断すると（ステップＳ１１４／Ｎｏ）、ステップＳ１０１に戻り、罫線作成モードが終了であると判断すると（ステップＳ１１４／Ｙｅｓ）、罫線作成モードを終了する。
【００３４】
以上において、本実施の形態では、操作者が罫線移動キー１１１のいずれかを押し下げる毎に決定キー１１３を押し下げることで１セル分ずつ罫線が作成される。すなわち、罫線移動キー１１１、削除キー１１２、及び決定キー１１３の操作だけでグラフィック感覚で罫線を作成することができる。
【００３５】
＜第２の実施の形態＞
［構  成］
構成については、第１の実施の形態と同様であるため、省略する。
【００３６】
［動  作］
図４は、本発明に係る画像処理方法を適用したフローチャートの他の一例である。
図４に示したフローチャートの図２に示したフローチャートとの相違点は、操作者が罫線移動キー１１１のいずれかを連続して押し下げた後で決定キー１１３を押すことで一括して罫線が作成される点である。
図５は、図４に示したフローチャートに基づいた表示部の様子を示す説明図の一例である。
【００３７】
図４に示したフローチャートは、図１に示した画像処理装置としての携帯電話機を操作して罫線作成モードに設定された状態のものとする。
制御部１００（図１参照）は、罫線作成モードが開始されると、表示部１２０のホームポジション（例えばＡ１セルの右縁もしくは下縁。）にカーソル（横カーソルもしく縦カーソル）を表示させると共に、カーソル移動キー１１１が押し下げられたか否かを判断する（ステップＳ２０１）。
制御部１００は、カーソル移動キー１１１が押し下げられたと判断すると（ステップＳ２０１／Ｙｅｓ）、押し下げられたカーソル移動キー１１１が右方向キー１１１Ｒであるか否かを判断する（ステップＳ２０２）。
制御部１００は、右方向キー１１１Ｒが押し下げられたと判断すると（ステップＳ２０２／Ｙｅｓ）、表示部１２０に表示されたカーソル（横向きカーソル：「−」）を１セル分だけ右方向に移動し（ステップＳ２０３）、カーソルの軌跡を表示する。以下、軌跡は決定されるまで点滅するかもしくはカーソルと異なる色であってもよい（ステップＳ２０９）。
【００３８】
制御部１００は、右方向キー１１１Ｒが押し下げられていないと判断すると（ステップＳ２０２／Ｎｏ）、左方向キー１１１Ｌが押し下げられたか否かを判断する（ステップＳ２０４）。
制御部１００は、左方向キー１１１Ｌが押し下げられたと判断すると（ステップＳ２０４／Ｙｅｓ）、表示部１２０に表示されたカーソル（横向きカーソル「−」）を１セル分だけ左方向に移動し（ステップＳ２０５：但し、図５に示す場合、カーソルは左には移動できないので、例えば「これ以上左へは進めません」と表示するか、または右端に表示されるように構成してもよい。）、カーソルの軌跡を表示する（ステップＳ２０９）。
【００３９】
制御部１００は、左方向キー１１１Ｌが押し下げられていないと判断すると（ステップＳ２０４／Ｎｏ）、上方向キー１１１Ｕが押し下げられたか否かを判断する（ステップＳ２０６）。
制御部１００は、上方向キー１１１Ｕが押し下げられたと判断すると（ステップＳ２０６／Ｙｅｓ）、表示部１２０に表示されたカーソル（縦向きカーソル：「｜」）を１セル分だけ上方向に移動し（ステップＳ２０７）、カーソルの軌跡を表示する（ステップＳ２０９：但し、図５に示す場合、カーソルは上へは進めないので、例えば「これ以上上へは進めません」と表示するか、または下端に表示されるように構成してもよい。）。
【００４０】
制御部１００は、上方向キー１１１Ｕが押し下げられていないと判断すると（ステップＳ２０６／Ｎｏ）、下方向キー１１１Ｄが押し下げられたものと判断し、表示部１２０に表示されたカーソル（縦向きカーソル：「｜」）をホームポジションであるＡ１セルから下方向に１セル分だけ（Ａ２セル）まで移動し（ステップＳ２０８）、カーソル（縦向きカーソル「｜」が表示される。）の軌跡を表示する（ステップＳ２０９）。
【００４１】
制御部１００は、表示部１２０内にカーソルの軌跡が表示されると、カーソル移動キー１１１が押し下げられたか否かを判断する（ステップＳ２１０）。
制御部１００は、カーソル移動キー１１１が押し下げられたと判断すると（ステップＳ２１０／Ｙｅｓ）、ステップＳ２０２に戻り、いずれの方向キーが押し下げられたかを判断し、例えば、連続的に右方向キー１１１Ｒが押し下げられると、Ａ１セルからＤ１セルまでカーソルが移動すると共にＢ１セルからＤ１セルまで連続的に軌跡が表示される。
【００４２】
制御部１００は、カーソル移動キー１１１が押し下げられていないと判断すると（ステップＳ２１０／Ｎｏ）、決定キー１１３（図１参照）が押し下げられたか否かを判断する（ステップＳ２１０）。
制御部１００は、決定キー１１３が押し下げられたと判断すると（ステップＳ２１１／Ｙｅｓ）、表示部１２０の軌跡が罫線として表示され（ステップＳ２１２）、罫線作成モードが終了したか否かを判断する（ステップＳ２１５）。
制御部１００は、決定キー１１３が押し下げられていないと判断すると（ステップＳ２１１／Ｎｏ）、削除キー１１２（図１参照。）が押し下げられたか否かを判断する（ステップＳ２１３）。
制御部１００は、削除キー１１２が押し下げられたと判断すると（ステップＳ２１３／Ｙｅｓ）、表示部１２０の軌跡を１セル分だけ削除し（ステップＳ２１４））、ステップＳ２１１に戻る。
制御部１００は、削除キー１１２が押し下げられていないと判断すると（ステップＳ２１３／Ｎｏ）、ステップＳ２１１に戻る。
【００４３】
制御部１００は、カーソル移動キー１１１の押し下げがないか（ステップＳ２０１／Ｎｏ）、罫線が表示されると（ステップＳ２１２）、罫線作成モードが終了か否かを判断する（ステップＳ２１５）。
制御部１００は、罫線作成モードが終了でないと判断すると（ステップＳ２１５／Ｎｏ）、ステップＳ２０１に戻り、罫線作成モードが終了であると判断すると（ステップＳ２１５／Ｙｅｓ）、罫線作成モードを終了する。
ここで、セルに数字（文字）を入力するときはダイヤルキー１１４のうちの数字キーにより入力することができる。
【００４４】
以上において、本実施の形態では、操作者が罫線移動キー１１１のいずれかを連続して押し下げた後で決定キー１１３を押すことで一括して罫線が作成され、削除キーを押し下げる毎に軌跡１セル分だけ削除される。すなわち、罫線移動キー１１１、削除キー１１２、及び決定キー１１３の操作だけでグラフィック感覚で罫線を作成することができる。
【００４５】
尚、操作者が罫線移動キー１１１のいずれかを押し下げる毎に決定キー１１３を押し下げることで１セル分ずつ罫線が作成される方式と、操作者が罫線移動キー１１１のいずれかを連続して押し下げた後で決定キー１１３を押すことで一括して罫線が作成され、削除キーを押し下げる毎に軌跡１セル分だけ削除される方式とは固定されるものではなく、特定のキー操作、例えば、ダイヤルキー１１４のうちの＃キーを押し下げることで切り替えるように構成してもよい。
【００４６】
＜変形例＞
図６は、図２もしくは図４に示したフローチャートに基づいた表示部の様子を示す説明図の他の一例である。
図６に示した表示部の図３、５に示した表示部との相違点は、前述したいずれかの罫線は、セル内の中央の軌跡上に形成される点である。
この場合においても、罫線移動キー１１１、削除キー１１２、及び決定キー１１３の操作だけで罫線を作成することができる。
【００４７】
＜プログラム＞
以上で説明した本発明にかかる画像処理装置は、コンピュータで処理を実行させるプログラムによって実現されている。コンピュータとしては、例えばマイクロプロセッサなどの汎用的なものが挙げられるが、本発明はこれに限定されるものではない。よって、一例として、プログラムにより本発明を実現する場合の説明を以下で行う。
【００４８】
罫線を形成するために、コンピュータを、
(1)罫線作成モード時に表示部のカーソルを縦方向に移動させると軌跡に沿って各セル内に縦罫線を形成する手段、
(2)表示部のカーソルを横方向に移動させると軌跡に沿って各セル内に横罫線を形成する手段、
(3)決定キーが押し下げられるとセル内の罫線を決定する手段、
(4)削除キーが押し下げられるとセル内の罫線を削除する手段、
として機能させるためのプログラムが挙げられる。
【００４９】
また、
(a)罫線を形成するために、コンピュータを、
(b)罫線作成モード時に表示部のカーソルを縦方向に移動させるとカーソルの軌跡に沿って各セル内に縦罫線を形成する手段、
(c)表示部のカーソルを横方向に移動させるとカーソルの軌跡に沿って各セル内に横罫線を形成する手段、
(d)決定キーが押し下げられるとセル内の罫線を決定する手段、
(e)削除キーが押し下げられるとセル内の罫線を削除する手段、
(f)いずれかのカーソルの軌跡が形成される毎に決定もしくは削除を行うか、またはいずれかのカーソルが複数回表示された後で決定もしくは削除を行うことを切替る手段、
として機能させるためのプログラムが挙げられる。
【００５０】
これにより、プログラムが実行可能なコンピュータ環境さえあれば、どこにおいても本発明にかかる画像処理装置を実現することができる。
【００５１】
＜記憶媒体＞
このようなプログラムは、コンピュータに読み取り可能な記憶媒体に記憶されていてもよい。
ここで、記憶媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記憶媒体、フラッシュメモリ、ＲＡＭ（Random Access Memory）、ＲＯＭ（Read Only Memory）、ＦｅＲＡＭ（強誘電体メモリ）等の半導体メモリやＨＤＤ（Hard Disc Drive）が挙げられる。
【実施例１】
【００５２】
Ａ１セルにカーソルがありＢ１セル〜Ｄ１セルに横線を作成する場合について説明する。
右方向キー１１１Ｒ、決定キー１１３を操作することでＢ１に横線が作成され、続けて右方向キー１１１Ｒ、決定キー１１３、右方向キー１１１Ｒ、決定キー１１３と操作することでＣ１セル、Ｄ１セルに横線が作成される。
また、Ａ２セル、Ａ３セルに縦線を作成する場合、カーソルをＡ１セルへ移動し、下方向キー１１１Ｄ、決定キー１１３を操作することでＡ２セルに縦線が作成され、続けて下方向キー１１１Ｄ、決定キー１１３と操作することでＡ３セルに縦線が作成される。
【実施例２】
【００５３】
図２を参照して、本発明に係る画像処理装置の実施例１として表計算ソフトの場合について説明する。
表計算ソフトを起動してカーソルがＡ１セルにあり、罫線カーソルはＡ１セルの下側に点滅しているとする。
右（左）方向キー１１１Ｒ（１１１Ｌ）を操作すると、カーソルは右（左）へ移動し、罫線カーソルは移動したセルの下側に点滅する。
上（下）方向キー１１１Ｕ（１１１Ｄ）を操作すると、カーソルは上（下）へ移動し、罫線カーソルは移動したセルの右側に点滅する。
罫線を作成する時は決定キー１１３を操作すると、罫線カーソルに合わせてセルの右側もしくは下側に罫線が作成される。罫線を削除する時は削除キー１１２を操作すると、罫線カーソルに合わせてセルの右側もしくは下側の罫線が削除される。
セルに数字（文字）を入力するときは数字キーにより入力することができる。
【００５４】
＜効果の説明＞
第１の効果は、上下左右方向のキー、決定キー、削除キーの操作だけで罫線が作成できることにある。
第２の効果は、モードを変更することなく、数字（文字）の入力ができることにある。
【００５５】
なお、上述した実施の形態は、本発明の好適な実施の形態の一例を示すものであり、本発明はそれに限定されることなく、その要旨を逸脱しない範囲内において、種々変形実施が可能である。例えば、上述の説明では、罫線カーソルはセルの下側とセルの右側の２種類としたが、セルの上側やセルの左側を含む４種類としても良い。また、携帯電話機について説明したが、本発明ではこれに限定されず、パーソナルコンピュータ、ＰＤＡ(Personal Digital Assistants)、ゲーム機にも適用可能である。さらに、本発明は、パーソナルコンピュータおよび携帯電話機で動作する表計算ソフト、ゲームにも適用可能である。
【産業上の利用可能性】
【００５６】
本発明は、携帯電話機、パーソナルコンピュータ、ＰＤＡ、ゲーム機等の画像処理装置に利用が可能である。
【符号の説明】
【００５７】
１００    制御部
１１０    入力部
１１１    カーソル移動キー
１１１Ｕ    上方向キー
１１１Ｄ    下方向キー
１１１Ｌ    左方向キー
１１１Ｒ    右方向キー
１１２    削除キー
１１３    決定キー
１１４    ダイヤルキー
１２０    表示部
【図１】
2010272047.tif 000003
【図２】
2010272047.tif 000004
【図３】
2010272047.tif 000005
【図４】
2010272047.tif 000006
【図５】
2010272047.tif 000007
【図６】
2010272047.tif 000008